(57)【特許請求の範囲】
【請求項１】
印刷機能、スキャナ機能を少なくとも有する複合機において、
印刷ジョブを解析し解析結果に基づいて作成したラスタイメージとバーコードイメージとを合成したページイメージを作成して、当該作成したページイメージを、当該ページイメージを特定する識別情報であって、当該ページイメージの前記バーコードイメージに含まれるバーコードとして記録される識別情報とともに保存する印刷イメージ記憶手段と、
前記印刷イメージ記憶手段にて記憶したページイメージの印刷制御を行う画像出力手段と、
前記画像出力手段にて出力された印刷画像の画像読取を行う画像読取手段と、
前記バーコードイメージを前記画像読取手段にて読み取って前記ページイメージを識別する識別情報であるバーコードを解析し、該解析によって前記印刷イメージ記憶手段にて記憶した前記ページイメージを特定し、該特定したページイメージと、前記画像読取手段にて読み取った画像を照合する照合手段と、
前記照合手段による照合結果を、前記複合機の表示部に出力する照合結果出力手段と、
を具備する
ことを特徴とする複合機。
【請求項２】
前記画像出力手段にて印刷される前記印刷イメージとは別系統の印刷イメージを生成して記憶手段に記憶する別系統印刷イメージ生成手段をさらに具備し、
前記照合結果出力手段は、
前記別系統の印刷イメージと、画像出力手段にて印刷される印刷イメージとを、所定の方式にて照合し、該照合結果を、前記複合機の表示部に出力する
ことを特徴とする請求項１記載の複合機。
【請求項３】
印刷機能、スキャナ機能を少なくとも有する複合機における印刷画像検査方法において、
印刷ジョブを解析し解析結果に基づいて作成したラスタイメージとバーコードイメージとを合成したページイメージを作成して、当該作成したページイメージを、当該ページイメージを識別する識別情報であって、当該ページイメージの前記バーコードイメージに含まれるバーコードとして記録される識別情報とともに印刷イメージ記憶手段が保存し、
前記印刷イメージ記憶手段にて記憶したページイメージの印刷制御を画像出力手段が行い、
前記画像出力手段にて出力された印刷画像の画像読取を画像読取手段が行い、
前記バーコードイメージを前記画像読取手段にて読み取って前記ページイメージを識別する識別情報であるバーコードを解析し、該解析によって前記印刷イメージ記憶手段にて記憶したページイメージを特定し、該特定したページイメージと、前記画像読取手段にて読み取った画像を照合手段が照合し、
前記照合手段による照合結果を、前記複合機の表示部に照合結果出力手段が出力する
ことを特徴とする複合機における印刷画像検査方法。
【発明の詳細な説明】
【技術分野】
【０００１】
本発明は、複合機および複合機における印刷画像検査方法に関し、特に、印刷画像した画像の異常を検する技術に関する。
【背景技術】
【０００２】
従来、印刷装置にて印刷した画像を検査する技術として、特許文献１に記載された「画像データチェック回路」等がある。
【０００３】
特許文献１の発明は、画像の印刷が終了した用紙を、プリンタの用紙排出部付近に設置された画像センサー等を用いて印刷結果のイメージを取得し、それをコントローラが持つ印刷前のイメージと照合することにより、プリント結果に異常が無い事の検証を行うことが一般的である。
【特許文献１】特開平０３−１９８７７号
【発明の開示】
【発明が解決しようとする課題】
【０００４】
プリント結果を、白紙、白抜け、かすれやつぶれ、重複等の異常がないことを確認するチェックシステムにおいては、特許文献１に示した、画像の印刷が終了した直後に、画像の印刷が終了した後の用紙をプリンタの用紙排出部付近に設置された画像センサ等を用いて印刷結果のイメージを取得し、取得したイメージと、コントローラが持つ印刷前のイメージと照合する。
【０００５】
これにより、画像の照合検査を行うために、画像読取装置においては、画像センサ等のハードウェア資源が必要となり、製品コストの増大を招くといった問題が生じた。
【０００６】
また、画像の検査方法においても、プリンタの用紙排出に合せて、イメージの照合をリアルタイムに行っているので、イメージの照合処理が印刷速度に追従できない場合、イメージの照合処理を簡略化、あるいは、省略するか、または、印刷速度を遅くするなどの対策が必要であった。
【０００７】
この様に、上記特許文献１に示した従来技術では、製品のコスト面や、信頼性、パフォーマンスの点で多くの課題あった。
【０００８】
よって、本発明は、従来の複合機のハードウェア構成を変更することなく、印刷結果を検査することができる複合機および複合機における印刷画像検査方法を提供することを目的とする。
【課題を解決するための手段】
【０００９】
上記課題を解決するために、請求項１の発明は、印刷機能、スキャナ機能を少なくとも有する複合機において、印刷ジョブを解析し解析結果に基づいて作成したラスタイメージとバーコードイメージとを合成したページイメージを作成して、当該作成したページイメージを、当該ページイメージを特定する識別情報であって、当該ページイメージの前記バーコードイメージに含まれるバーコードとして記録される識別情報とともに保存する印刷イメージ記憶手段と、前記印刷イメージ記憶手段にて記憶したページイメージの印刷制御を行う画像出力手段と、前記画像出力手段にて出力された印刷画像の画像読取を行う画像読取手段と、前記バーコードイメージを前記画像読取手段にて読み取って前記ページイメージを識別する識別情報であるバーコードを解析し、該解析によって前記印刷イメージ記憶手段にて記憶したページイメージを特定し、該特定したページイメージと、前記画像読取手段にて読み取った画像を照合する照合手段と、前記照合手段による照合結果を、前記複合機の表示部に出力する照合結果出力手段と、を具備することを特徴とする。
【００１０】
また、請求項２の発明は、請求項１の発明において、前記画像出力手段にて印刷される前記印刷イメージとは別系統の印刷イメージを生成して記憶手段に記憶する別系統印刷イメージ生成手段をさらに具備し、前記照合結果出力手段は、前記別系統の印刷イメージと、画像出力手段にて印刷される印刷イメージとを、所定の方式にて照合し、該照合結果を、前記複合機の表示部に出力することを特徴とする。
【００１１】
また、請求項３の発明は、印刷機能、スキャナ機能を少なくとも有する複合機における印刷画像検査方法において、印刷ジョブを解析し解析結果に基づいて作成したラスタイメージとバーコードイメージとを合成したページイメージを作成して、当該作成したページイメージを、当該ページイメージを識別する識別情報であって、当該ページイメージの前記バーコードイメージに含まれるバーコードとして記録される識別情報とともに印刷イメージ記憶手段が保存し、前記印刷イメージ記憶手段にて記憶したページイメージの印刷制御を画像出力手段が行い、前記画像出力手段にて出力された印刷画像の画像読取を画像読取手段が行い、前記バーコードイメージを前記画像読取手段にて読み取って前記ページイメージを識別する識別情報であるバーコードを解析し、該解析によって前記印刷イメージ記憶手段にて記憶したページイメージを特定し、該特定したページイメージと、前記画像読取手段にて読み取った画像を照合手段が照合し、前記照合手段による照合結果を、前記複合機の表示部に照合結果出力手段が出力することを特徴とする。
【発明の効果】
【００１４】
本発明の複合機および複合機における印刷画像検査方法によれば、従来の複合機のハードウェアの構成を変更することなく、ソフトウェアの変更、追加のみで、印刷結果の照合機能を提供することができ、既存のハードワエア資源を有効活用することができる。
【００１５】
また、検査モードによっては、印刷処理と、印刷結果の検査機能を、別個に利用できるので、印刷処理速度に影響を与えず、また、印刷速度に影響されない検査処理を提供することができる。
【発明を実施するための最良の形態】
【００１６】
本発明の複合機および複合機における印刷画像検査方法について、添付図面を参照しながら説明する。
【実施例】
【００１７】
図１は、本願発明の複合機の構成例を示すブロック図である。
【００１８】
複合機１０は、コピー、ファクシミリ、スキャナ、プリンタ機能以外に、複合機１０で印刷した用紙をスキャナ機能にて読取を行い、用紙に印刷する画像のページイメージのデータと、読み取った印刷画像のイメージとを、照合して印刷した画像における異常個所の有無を判断し、判断した結果を操作パネルの表示部に出力する印刷画像検査機能を有する。
【００１９】
また、この検査機能には、以下の３つの検査方法がある。
【００２０】
第１の検査方法として、「即時検査モード」がある。
【００２１】
この方法は、複合機１０で文書を印刷した後、直ちに、印刷した文書の読取操作を行って、印刷した画像を検査するモードである。
【００２２】
この即時モードの設定方法は、ＰＣ３０の印刷指示画面にて印刷操作を開始する度にユーザが指定する方法と、予め、複合機１０に設定するデフォルトの検査モードとして指定する方法がある。
【００２３】
第２の検査方法として、「ページイメージ呼び出し検査モード」がある。
【００２４】
この第２の方法は、複合機１０にて印刷を行った際のページイメージに、印刷ジョブ、印刷ページ、出力日時などの情報を付加して記憶部１９に蓄積し、同時に、印刷した用紙には、その蓄積したページイメージへのリンク情報となるバーコード、識別番号を用紙の余白に印刷する。その後、利用者から検査実施の操作として、操作パネルからの蓄積したページイメージを選択して、検査する用紙を画像読取部１７にて読取り、呼び出したページイメージと、読み取った画像データとを照合して検査を行う方法である。
【００２５】
第３の検査方法として、「登録マスタ画像照合モード」がある。
【００２６】
この方法は、事前に、検査する画像の照合相手となる画像を、画像読取部１７にて読み取って、記憶部１９にマスタ登録し、検画像読取部１７にて読み取った印刷した画像と、登録したマスタ画像とを照合して検査を行う方法である。
【００２７】
なお、検査処理において、異常箇所の有無を検知する方法は、エッジ検出、輝度ヒストグラム、特徴量算出等の既存の画像処理を使用して異常を検出する。
【００２８】
複合機１０は、複合機１０全体の統括制御を行うメインコントローラ１１にコピーコントローラ１２１、ＦＡＸコントローラ１３、ネットワークインタフェース１４、プリンタコントローラ１５、プリントエンジン１６、スキャナコントローラ１８、記憶部１９が接続して制御される。
【００２９】
コピーコントローラ１２１は、画像読取部１７にセットされた原稿画像を、操作パネル１２でユーザが指定した読取設定にて画像を読み取り、ユーザが指定した印刷設定に基づいて、プリンタコントローラ１５、プリントエンジン１６による読み取った画像の印刷処理の制御を行う。。
【００３０】
ＦＡＸコントローラ１３は、ファクシミリ機能に関する制御を行う。
【００３１】
プリンタコントローラ１５は、プリントエンジン１６に接続し、印刷に関する制御を行う。。
【００３２】
ネットワークインタフェース１４は、画像読取部１７にて読み取った画像を、ネットワーク２０を介して接続されたＰＣ３０に送信したり、ＰＣ３０から印刷データを受信したりするためのデータ通信制御を行うための通信インタフェースである。
【００３３】
スキャナコントローラ１８は、画像読取部１７に接続され、画像読取部１７にセットされた画像の読取に関する制御を行う。。
【００３４】
記憶部１９は、ファクシミリ機能における蓄積モードによる送受信の画像データを、保存したり、スキャナ機能によって読み取った画像データを保存する。
【００３５】
また、記憶部１９は、印刷した画像の検査を行うために、プリンタコントローラ１５に作成された印刷ページのラスタ画像であるページイメージを検査処理に必要な照合用のデータに変換されたページイメージ１５２を保存して管理し、画像読取部１７にて読取られた、印刷して出力された印刷画像４０の読取イメージを照合用のデータ形式に変換した検査画像読取イメージ１８２を記憶する。
【００３６】
記憶部１９は、記憶したページイメージ１５２を管理するための、照合用ページイメージデータ管理情報１９１に登録して管理する。
【００３７】
図２は、記憶部１９に記録される照合用ページイメージデータ管理情報１９１の例である。
【００３８】
照合用ページイメージデータ管理情報１９１は、ジョブＩＤ１９１１、ページ識別情報１９１２、バーコードデータ１９１３、イメージ画像格納情報１９１４、印刷日時１９１５を記憶部１９に保存したページイメージ１５２毎に記録して管理する情報である。
【００３９】
ジョブＩＤ１９１１は、プリンタコントローラ１５にてページイメージ１５２を作成した際の印刷ジョブの識別情報を示す。
【００４０】
ページ識別情報１９１２は、印刷ページを識別する情報を示す。
【００４１】
バーコードデータ１９１３は、検査処理の際に、検査する用紙が記憶部１９にした何れのページイメージ１５２に対応するかを特定ために、プリンタコントローラ１５にてユニークな情報が割当られて印刷されたバーコードの情報を示す。
【００４２】
イメージ画像格納情報１９１４は、検査用マスタ画像管理情報１９２に登録した情報に対応するページイメージ１５２のデータ記憶場所を示す。
【００４３】
印刷日時１９１５は、ページイメージ１５２を作成して印刷した時のタイムスタンプをを示す。
【００４４】
次に、即時検査モードでの印刷画像の検査処理の動作を、図３のフローチャートに示して説明する。  
メインコントローラ１１は、ネットワーク２０を介して接続されるＰＣ３０からネットワークインタフェース１４を介して印刷ジョブを受信すると、プリンタコントローラ１５にて、ページ記述言語にて作成された印刷ジョブを解析し（Ｓ１０１）、ページイメージ１５２を作成してイメージバッファ１５１に出力する（Ｓ１０２）、プリンタコントローラ１５は、イメージバッファ１５１に出力したページイメージ１５２を記憶部１９に保存する（Ｓ１０３）。
【００４５】
プリントエンジン１６は、イメージバッファ１５１に出力されたページイメージ１５２を読み取って印刷画像４０を印刷する（Ｓ１０４）。
【００４６】
受信した印刷ジョブにて指定された全ページの印刷が完了すると、メインコントローラ１１は、操作パネル１２に、例えば、図１０の（Ａ）に示すような、印刷した印刷画像４０の読取操作および検査指示操作をユーザに促す操作画面を操作パネル１２に表示し、画像読取部１７における印刷画像４０の画像読取操作を監視する（Ｓ１０５）。
【００４７】
操作パネル１２に表示された、検査開始画面において、中止操作、あるいは、操作タイムアウトを検知すると（Ｓ１０６ＮＯ、Ｓ１０７ＹＥＳ）メインコントローラ１１は、画像の検査処理を中止し、メインコントローラ１１は、次の印刷ジョブの処理、あるいは、待機状態に遷移する。
【００４８】
操作パネル１２に表示した画面にて検査開始を指示する操作を検知する（Ｓ１０６ＹＥＳ）、メインコントローラ１１は、スキャナコントローラ１８の制御によって、印刷画像４０の読取制御を指示し（Ｓ１０８）、スキャナコントローラ１８は、画像読取用バッファ１８１に展開した検査画像読取イメージ１８２を、メインコントローラ１１に出力し、メインコントローラ１１は、記憶部１９に、検査画像読取イメージ１８２を保存する（Ｓ１０９）。
【００４９】
メインコントローラ１１は、記憶部１９に保存した、ページイメージ１５２と、検査画像読取イメージ１８２とを照合して異常の有無を検査し（Ｓ１１０）、印刷ページが単一の場合（Ｓ１１１ＮＯ）、検査結果として図１０の（Ｂ）に示すような画面を操作パネル１２に表示して検査処理を終了する（Ｓ１１４）。
【００５０】
印刷ページが複数あって、未検査の印刷ページがある場合（Ｓ１１１ＹＥＳ）、検査結果と、次のページの検査を続行するか否かをユーザに確認する画面（図１０（Ｃ））の画面を操作パネル１２に表示する（Ｓ１１２）。
【００５１】
次ページの検査継続が選択された場合（Ｓ１１３ＹＥＳ）、メインコントローラ１１は、Ｓ１０２に戻り次のページイメージ１５２の作成処理を行い、一方検査処理の中断が指示された場合（Ｓ１１３ＮＯ）、メインコントローラ１１は、検査処理を終了する。
【００５２】
次に、画像検査モードである「ページイメージ呼び出し検査モード」の動作について説明する。
【００５３】
図４は、「ページイメージ呼び出し検査モード」による印刷処理の動作を示すフローチャートである。
【００５４】
メインコントローラ１１は、ネットワーク２０を介して接続されるＰＣ３０からネットワークインタフェース１４を介して印刷ジョブを受信すると、プリンタコントローラ１５に印刷ジョブのデータを出力し、プリンタコントローラ１５は、ページ記述言語にて作成された印刷ジョブを解析し（Ｓ２０１）、解析結果に基づいて作成したラスタイメージとページイメージの識別情報となるバーコードイメージを合成したページイメージ１５２を作成してイメージバッファ１５１に出力し（Ｓ２０２）、プリンタコントローラ１５は、イメージバッファ１５１に出力したページイメージ１５２を、ページイメージ１５２として記憶部１９に保存し、照合用ページイメージデータ管理情報１９１に、保存したページイメージ１５２に関する識別、印刷ページの情報を追加して登録する（Ｓ２０３）。プリントエンジン１６は、イメージバッファ１５１に出力されたページイメージ１５２に基づいて、例えば、図５に示した、バーコード印刷部４１、イメージデータ識別情報印字部４２を含む印刷画像４０の印刷を行う（Ｓ２０４）。
【００５５】
図６は、図４に示した印刷処理にて、複合機１０の記憶部１９に蓄積したページイメージ１５２を選択して呼び出し、印刷画像４０の検査を行う処理の動作を示したフローチャートである。
【００５６】
メインコントローラ１１は、操作パネル１２にて、図１０の（Ｄ）に示すような、蓄積したページイメージ１５２の識別情報の一覧から検査対象を選択する操作を検知すると（Ｓ３０４にてＹＥＳ）、選択されたページイメージ１５２による検査開始画面（図１０の（Ａ））に示した検査開始画面を表示する（Ｓ３０５）。
【００５７】
画像読取部１７によって、印刷画像４０に印刷されたバーコード印刷部４１の読取操作を検知すると（Ｓ３０１ＹＥＳ）、メインコントローラ１１は、バーコードの読取情報に基づいて、照合用ページイメージデータ管理情報１９１のバーコードデータ１９１３を検索して該当レコードを特定し、特定した検査用マスタ画像管理情報１９２の記録内容を操作パネル１２に出力する（Ｓ３０５）。
【００５８】
ステップＳ３０５にて表示された検査開始確認画面において、検査開始を指示する操作を検知すると、メインコントローラ１１は、操作パネル１２に、図１０（Ａ）に示した印刷画像４０の原稿読取操作を利用者に促す画面を表示する（Ｓ３０７）。
【００５９】
メインコントローラ１１は、印刷画像４０の読取指示操作を操作パネル１２にて検知し、スキャナコントローラ１８に対して、画像読取部１７による印刷画像４０の読取処理を開始する（Ｓ３０８）。
【００６０】
メインコントローラ１１は、スキャナコントローラ１８から出力される検査画像読取イメージ１８２を記憶部１９に保存し（Ｓ３０９）、ステップＳ３０５の処理にて特定したページイメージ１５２を、検査用マスタ画像管理情報１９２のイメージ画像格納情報１９１４に基づいて記憶部１９から読み出した、検査画像読取イメージ１８２と、ページイメージ１５２とを照合する画像処理を行って（Ｓ３１０）、検査結果を操作パネル１２に出力する（Ｓ３１１）。
【００６１】
なお、図６に示した第２の検査処理において、印刷画像４０のもとになる原稿データ、例えば、ＰＣ３０において、編集した画像ファイルが同じ印刷ジョブであれば、照合する際のページイメージ１５２と、検査画像読取イメージ１８２は、必ずしも、共通の印刷ジョブにもとづいた一対一の対応に制限されず、検査画像読取イメージ１８２とに対応しない他の印刷ジョブのページイメージ１５２と照合することも可能である。
【００６２】
次に、第３の検査モードである「検査用マスタ画像照合モード」がある。
【００６３】
メインコントローラ１１は、ある印刷ジョブにて印刷した画像を、判定用の正しい印刷画像として登録し、以後、別の印刷ジョブによって、同じ内容の画像を印刷した場合に、登録した画像を正として画像の照合処理を行う。
【００６４】
この登録する画像を以後「検査用マスタ画像」と称す。
【００６５】
記憶部１９に登録した検査用マスタ画像管理情報１９２の例を図７に示す。
【００６６】
検査用マスタ画像管理情報１９２は、検査用マスタ画像ＩＤ１９２１、画像読取日時１９２２、マスタ画像記憶情報１９２３を、記憶部１９に登録した検査画像読取イメージ１８２毎に記録して管理する。
【００６７】
検査用マスタ画像ＩＤ１９２１は、登録した検査画像読取イメージ１８２の識別情報を示す。
【００６８】
画像読取日時１９２２は、検査画像読取イメージ１８２を登録した時の画像読取処理を行った日時である。
【００６９】
マスタ画像記憶情報１９２３は、記憶部１９における検査画像読取イメージ１８２のデータ記憶領域に関する情報であり、記憶部１９から検査時に、検査画像読取イメージ１８２のデータを読み出すための情報を示す。
【００７０】
次に、スキャナ読取画像データとの照合モードにおける、検査用マスタ画像の登録処理の動作例を図８のフローチャートに示して説明する。
【００７１】
メインコントローラ１１は、ユーザが操作パネル１２にて検査用マスタ画像の登録操作を検知すると、例えば、図１０の（Ａ）に示す登録する画像の読取操作を利用者に促す画面を表示する（Ｓ４０１）。
【００７２】
検査用マスタ画像の読取開始操作を操作パネル１２にて検知すると（Ｓ４０２ＹＥＳ）、メインコントローラ１１は、スキャナコントローラ１８に画像読取部１７にセットされた登録用画像の読取処理を開始する（Ｓ４０３）。
【００７３】
登録用画像の読取処理が成功したことをスキャナコントローラ１８から通知されると、（Ｓ４０４ＹＥＳ）、メインコントローラ１１は、例えば、図１１の（Ｂ）に示す読みとった画像の登録確認の画面を操作パネル１２に表示し（Ｓ４０５）、検査用マスタ画像としての登録操作を検知すると（Ｓ４０６ＹＥＳ）、メインコントローラ１１は、読み取った画像を画像読取用バッファ１８１から読み出し、検査用マスタ画像１９２４として記憶部１９に保存し、保存した検査用マスタ画像１９２４に関する情報を検査用マスタ画像管理情報１９２に登録する（Ｓ４０７）。
【００７４】
次に、検査用マスタ画像を指定した、印刷画像４０の検査方法について説明する。
【００７５】
メインコントローラ１１は、操作パネル１２にて、検査用マスタ画像を使用した検査開始操作を検知すると、例えば、図１１の（Ｃ）に示すように、登録された検査用マスタ画像の一覧を表示して、検査に使用する検査用マスタ画像の選択を利用者に促す（Ｓ５０１）、操作パネル１２における検査用マスタ画像の選択操作を検知すると（Ｓ５０２ＹＥＳ）、メインコントローラ１１は、図１０の（Ａ）に示すような、検査する印刷画像４０の読取操作を利用者に促す画面を操作パネル１２に出力する（Ｓ５０３）。
【００７６】
操作パネル１２における検査用印刷画像４０の読取指示操作を検知すると（Ｓ５０４ＹＥＳ）、メインコントローラ１１は、スキャナコントローラ１８に対して、画像読取部１７にセットされた印刷画像４０の読取処理を指示し、スキャナコントローラ１８にて読み取って印刷画像４０の検査画像読取イメージ１８を記憶部１９に保存する（Ｓ５０５）。
【００７７】
メインコントローラ１１は、ステップＳ１０２で選択された検査用マスタ画像を、記憶部１９から読み出し、読み出した検査用マスタ画像と、印刷画像４０の検査画像読取イメージ１８２とを照合して印刷画像の異常の有無を検査し（Ｓ５０６）、検査結果を操作パネル１２に表示する（Ｓ５０７）。
【００７８】
なお、図９に示した第３の検査方法は、すでに印刷出力済みの印刷画像４０を選択した検査用マスタ画像と比較するようにしたが、これ以外に、印刷した直後に検査用マスタ画像の選択をユーザに促す操作画面を操作パネル１２に表示し、印刷して排紙された印刷画像４０の読取操作を行って検査するようにしてもよい。
【００７９】
また、検査用マスタ画像の代わりに、第２の検査モードにて示した、ページイメージ１５２を選択して使用することも可能である。
【００８０】
また、複合機１０のプリンタコントローラ１５において、イメージバッファ１５１にページイメージ１５２を展開する手段とは別の処理系統にて作成する第２のページイメージ１５２作成手段を設け、それぞれのページイメージを照合比較してする手段を追加して、ページイメージ１５２の作成時点における異常を検知できるようにしてもよい。
【００８１】
また、上記実施例において、照合検査が終了したページイメージ１５２、検査画像読取イメージ１８２は、検査終了後において、複合機１０の設定により自動削除、あるいは、手動にて削除する処理を行うようにしてもよい。
【産業上の利用可能性】
【００８２】
本発明の複合機および複合機における印刷画像検査方法は、重要な文書の印刷を行う複合機であって、印刷した画像における異常箇所の有無をチェックする必要がある印刷業務に利用可能である。
【図面の簡単な説明】
【００８３】
【図１】本願発明の複合機の構成例を示すブロック図。
【図２】ページイメージデータ管理情報の例を示す図。
【図３】即時検査モードでの印刷画像の検査処理の動作例を示フローチャート。
【図４】蓄積したページイメージと照合して印刷した画像を検査する時の動作例を示すフローチャート。
【図５】印刷画像の印刷イメージを示す図。
【図６】ページイメージを呼び出して照合する印刷画像の検査処理の動作例を示すフローチャート。
【図７】検査用マスタ画像管理情報の例を示す図。
【図８】検査用マスタ画像の登録処理の動作例を示すフローチャート。
【図９】検査用マスタ画像との照合による印刷画像の検査処理の動作を示すフローチャート。
【図１０】印刷結果の検査に伴う操作パネルに表示される画面イメージの例を示す図。
【図１１】検査用マスタ画像の登録処理、および、検査処理に関する操作パネルに表示される画面の例を示す図。
【符号の説明】
【００８４】
１０    複合機
１１    メインコントローラ
１２    操作パネル
１２１    コピーコントローラ
１３    ＦＡＸコントローラ
１４    ネットワークインタフェース
１５    プリンタコントローラ
１５１    イメージバッファ
１５２    ページイメージ
１６    プリントエンジン
１７    画像読取部
１８    スキャナコントローラ
１８１    画像読取用バッファ
１８２    検査画像読取イメージ
１９    記憶部  
１９１    照合用ページイメージデータ管理情報
１９１１    ジョブID
１９１２    ページ識別情報
１９１３    バーコードデータ
１９１４    イメージ画像格納情報、
１９１５    印刷日時
１９２    検査用マスタ画像管理情報
１９２１    検査用マスタ画像ＩＤ
１９２２    画像読取日時
１９２３    マスタ画像記憶情報
１９２４    検査用マスタ画像
２０    ネットワーク
３０    ＰＣ  
４０    印刷画像
４１    バーコード印刷部
４２    イメージデータ識別情報印字部
【図１】
0004572788.tif 000002
【図２】
0004572788.tif 000003
【図３】
0004572788.tif 000004
【図４】
0004572788.tif 000005
【図５】
0004572788.tif 000006
【図６】
0004572788.tif 000007
【図７】
0004572788.tif 000008
【図８】
0004572788.tif 000009
【図９】
0004572788.tif 000010
【図１０】
0004572788.tif 000011
【図１１】
0004572788.tif 000012